【手続補正書】
【提出日】平成21年5月26日(2009.5.26)
【手続補正１】
【補正対象書類名】特許請求の範囲
【補正対象項目名】全文
【補正方法】変更
【補正の内容】
【特許請求の範囲】
【請求項１】
遊技機本体の左右一側部に対し開閉可能に支持される扉体と、
前記遊技機本体の左右他側部において前記扉体を前記遊技機本体に施錠する施錠手段とを備え、
前記施錠手段は、
施錠状態にある前記扉体を開放可能な解錠状態とする際に所定の解錠操作が行われる錠部材と、
前記扉体又は前記遊技機本体のうち一方側に設けられた鉤部材、及び、他方側に設けられ、前記扉体の閉状態において前記鉤部材と係合する受部材とを備え、
前記鉤部材は、前記扉体の閉状態において前記受部材に設けられた前記支持部を係止する係止辺部を有する爪部を備え、
前記鉤部材又は前記受部材のうち一方は、前記錠部材の解錠操作に連動して、前記支持部が前記爪部に係止されて前記扉体の開放を規制する施錠位置から、前記扉体の開放を許容する解錠位置へと移動し、
前記施錠手段は、前記鉤部材又は前記受部材のうち前記施錠位置と前記解錠位置との間で移動可能に設けられた一方を前記施錠位置側に付勢する付勢手段を備え、
前記錠部材の解錠操作が行われることによって、前記鉤部材又は前記受部材のうち前記施錠位置と前記解錠位置との間で移動可能に設けられた一方が、前記扉体に対してその閉方向に力を加えることによって前記鉤部材と前記受部材とが接触することなく、又は、前記鉤部材と前記受部材とが摺接して前記扉体の閉方向への移動が許容される閉鎖許容位置にある場合には、開状態にある前記扉体に対してその閉方向に力を加えることで、前記扉体を閉状態とすることができ、
前記鉤部材又は前記受部材のうち前記施錠位置と前記解錠位置との間で移動可能に設けられた一方が前記閉鎖許容位置よりも前記施錠位置側にある場合には、開状態にある前記扉体に対してその閉方向に力を加えても、前記鉤部材と前記受部材とが接触して前記扉体が所定角度開いた状態でその閉方向への移動が規制される構成であって、
前記扉体又は前記遊技機本体のうち一方に設けられるとともに、当該一方に対して相対移動可能に設けられた可動部を備え、
前記可動部は、前記鉤部材又は前記受部材のうち前記施錠位置と前記解錠位置との間で移動可能に設けられた一方が前記閉鎖許容位置よりも施錠位置側に位置する状態にあるときに、前記扉体又は前記遊技機本体のうち前記可動部が設けられていない他方と接触し得る位置に配置されるとともに、
前記鉤部材と前記受部材とが接触して前記扉体が所定角度開いた状態で前記扉体の閉方向への移動が規制されるときの位置である第１の位置と、前記第１の位置にあるときよりも前記扉体が開いた状態となったときに位置する第２の位置との間で移動可能に構成され、
前記扉体又は前記遊技機本体のうち前記可動部が設けられた一方は、前記可動部を前記第２の位置側に付勢する緩衝付勢手段を備え、
前記鉤部材又は前記受部材のうち前記施錠位置と前記解錠位置との間で移動可能に設けられた一方が前記閉鎖許容位置よりも前記施錠位置側に位置する状態において開状態にある前記扉体を閉じていくことで、前記扉体又は前記遊技機本体のうち一方に設けられた前記可動部と他方とが接触し、当該接触状態からさらに前記扉体に対してその閉方向に力を加えることで、前記可動部が前記他方に押されて前記第２の位置から前記第１の位置側に移動することを特徴とする遊技機。
【請求項２】
前記鉤部材は、前記扉体又は前記遊技機本体のうち一方から他方側に向けて延びる鉤本体を備え、
前記可動部は前記鉤本体に対して相対移動可能に設けられ、
前記支持部は、前記鉤部材又は前記受部材のうち前記施錠位置と前記解錠位置との間で移動可能に設けられた一方が前記閉鎖許容位置よりも施錠位置側にある状態において開状態にある前記扉体を閉方向に移動させることで前記可動部と接触する接触面を有し、
前記鉤本体は、前記可動部が前記第１の位置となったときに前記接触面と接触し、前記支持部の前記爪部側への移動を規制する移動規制部を有することを特徴とする請求項１に記載の遊技機。
【請求項３】
固定枠の左右一側部に対し開閉可能に支持される扉体と、
前記固定枠の左右他側部において前記扉体を前記固定枠に施錠する施錠手段とを備え、
前記施錠手段は、
施錠状態にある前記扉体を開放可能な解錠状態とする際に所定の解錠操作が行われる錠部材と、
前記扉体又は前記固定枠のうち一方側に設けられた鉤部材、及び、他方側に設けられ、前記扉体の閉状態において前記鉤部材と係合する受部材とを備え、
前記鉤部材は、前記扉体の閉状態において前記受部材に設けられた前記支持部を係止する係止辺部を有する爪部を備え、
前記鉤部材は、前記錠部材の解錠操作に連動して、前記支持部が前記爪部に係止されて前記扉体の開放を規制する施錠位置から、前記扉体の開放を許容する解錠位置へと摺動し、
前記錠部材の解錠操作が行われ、前記鉤部材が、前記扉体に対してその閉方向に力を加えることによって前記鉤部材と前記受部材とが接触することなく、又は、前記鉤部材と前記受部材とが摺接して前記扉体の閉方向への移動が許容される閉鎖許容位置にある場合には、開状態にある前記扉体に対してその閉方向に力を加えることで、前記扉体を閉状態とすることができ、
前記鉤部材が前記閉鎖許容位置よりも前記施錠位置側にある場合には、開状態にある前記扉体に対してその閉方向に力を加えても、前記鉤部材と前記受部材とが接触して前記扉体が所定角度開いた状態でその閉方向への移動が規制される構成であって、
前記鉤部材は、少なくとも前記施錠位置にあるときには、
前記鉤部材と前記受部材とが接触して前記扉体が所定角度開いた状態で前記扉体の閉方向への移動が規制されるときの位置である第１の位置と、前記第１の位置にあるときよりも前記扉体が開いた状態となったときに位置する第２の位置との間で回動可能に構成され、
前記施錠手段は、前記鉤部材を前記施錠位置側に付勢するとともに前記第２の位置側に付勢する付勢手段を備え、
前記鉤部材が前記閉鎖許容位置よりも前記施錠位置側に位置する状態において開状態にある前記扉体を閉じていくことで、前記鉤部材と前記支持部とが接触し、当該接触状態からさらに前記扉体に対してその閉方向に力を加えることで、前記鉤部材が前記支持部に押されて前記第２の位置から前記第１の位置側に回動することを特徴とする遊技機。
【請求項４】
前記鉤部材は、前記扉体又は前記固定枠のうち一方に対して摺動可能かつ回動可能に取付けられる鉤部材本体と、前記鉤部材本体のうち当該鉤部材本体の回動中心位置よりも前記鉤部材の解錠位置側の部位から他方側に向けて延びる延出部とを備え、前記爪部は前記延出部に突設され、
前記支持部は、前記鉤部材が前記閉鎖許容位置よりも前記施錠位置側に位置する状態において開状態にある前記扉体を閉方向に移動させることで、前記爪部及び前記延出部のうち前記鉤部材の回動中心位置よりも前記鉤部材の解錠位置側の部位である規制壁部と接触する接触面を有し、
前記第２の位置にある前記鉤部材の前記規制壁部と前記支持部とが接触した状態からさらに前記扉体に対してその閉方向に力を加えることで、前記鉤部材が前記第１の位置側に回動し、
前記施錠手段は、前記第１の位置にある前記鉤部材を解錠位置側へ移動させた場合に、前記鉤部材が前記閉鎖許容位置となる前に前記鉤部材と接触してそれ以上の解錠位置側への移動を規制する規制手段を備えていることを特徴とする請求項３に記載の遊技機。
【請求項５】
前記鉤部材が前記第２の位置から前記第１の位置へと回動したときに当該鉤部材と接触し、前記鉤部材のそれ以上の回動を規制する第１規制部と、
前記鉤部材が前記第１の位置から前記第２の位置へと回動したときに当該鉤部材と接触し、前記鉤部材のそれ以上の回動を規制する第２規制部とを備えることを特徴とする請求項３又は４に記載の遊技機。